(57)【特許請求の範囲】
【請求項１】
被検者の体温データ、並びに、体調に関する予め設定された複数の項目について該当する項目の状況となったか否かを示す体調情報を表示する表示処理装置であって、
日付に沿った体温のトレンドグラフを表示するための第１表示領域と、日付に沿った前記体調情報を表示するための第２表示領域とを有する表示手段と、
各生理周期における生理初日を判定する判定手段と、
現在日が属する生理周期よりも前の複数回の生理周期の平均周期である平均生理周期を算出する平均生理周期算出手段と、
前記現在日が属する生理周期よりも前の複数回の生理周期について、各生理初日からの経過日数ごとに体温データの平均値を算出する平均値算出手段と、
前記現在日が属する生理周期よりも前の複数回の生理周期について、各生理初日からの経過日数における、前記複数の項目ごとの該当する状況となったことを示す情報の個数を求め、各項目毎の最大数となる経過日数を求める項目判定手段と、
前記第１表示領域に、前記現在日以降であって前記平均生理周期分、前記平均値算出手段で算出した体温データの平均値を予測トレンドとして表示し、且つ、
前記第２表示領域の、前記現在日以降であって前記平均生理周期分で示される範囲において、前記項目判定手段で判定した項目ごとに、それぞれが最大数となった経過日数で示される領域を第１の表示態様にすることで、予測体調情報として表示する表示制御手段と、
を備えることを特徴とする表示処理装置。
【請求項２】
前記現在日が属する生理周期よりも前の複数回の生理周期について、各生理初日からの経過日数ごとに体温データのばらつきを算出するばらつき算出手段を更に備え、
前記表示制御手段は、前記ばらつき算出手段により算出された前記経過日数ごとの体温データのばらつきを、前記平均値算出手段により算出された前記体温データの平均値に重畳して表示することを特徴とする請求項１に記載の表示処理装置。
【請求項３】
前記表示制御手段は、
前記項目判定手段が判定した個数が最大個数−１以上の領域を前記第１の表示態様に表示し、
前記項目判定手段が判定した個数が最大個数／２以上の領域を前記第１の表示態様とは異なる第２の表示態様で表示する
ことを特徴とする請求項１又は２に記載の表示処理装置。
【請求項４】
被検者の体温データ、並びに、体調に関する予め設定された複数の項目について該当する項目の状況となったか否かを示す体調情報を表示するため、日付に沿った体温のトレンドグラフを表示するための第１表示領域と、日付に沿った前記体調情報を表示するための第２表示領域とを有する表示手段を有する表示処理装置における表示処理方法であって、
各生理周期における生理初日を判定する判定工程と、
現在日が属する生理周期よりも前の複数回の生理周期の平均周期である平均生理周期を算出する平均生理周期算出工程と、
前記現在日が属する生理周期よりも前の複数回の生理周期について、各生理初日からの経過日数ごとに体温データの平均値を算出する平均値算出工程と、
前記現在日が属する生理周期よりも前の複数回の生理周期について、各生理初日からの経過日数における、前記複数の項目ごとの該当する状況となったことを示す情報の個数を求め、各項目毎の最大数となる経過日数を求める項目判定工程と、
前記第１表示領域に、前記現在日以降であって前記平均生理周期分、前記平均値算出工程で算出した体温データの平均値を予測トレンドとして表示し、且つ、
前記第２表示領域の、前記現在日以降であって前記平均生理周期分で示される範囲において、前記項目判定工程で判定した項目ごとに、それぞれが最大数となった経過日数で示される領域を第１の表示態様にすることで、予測体調情報として表示する表示制御工程と、
を備えることを特徴とする表示処理方法。
【請求項５】
請求項４に記載の表示処理方法の各工程をコンピュータに実行させるためのプログラム。
【請求項６】
請求項４に記載の表示処理方法の各工程をコンピュータに実行させるためのプログラムを格納したコンピュータ読取可能な記録媒体。
【発明の詳細な説明】
【技術分野】
【０００１】
本発明は、トレンドグラフ表示画面を表示する表示処理装置及び表示処理方法に関するものである。
【背景技術】
【０００２】
従来より、基礎体温の測定や、測定した基礎体温に基づくトレンドグラフの作成が可能な女性体温計が知られている。一般に女性体温計には、ＬＣＤ等の表示部が設けられており、測定された基礎体温や該基礎体温に基づくトレンドグラフ、あるいは体調に関する各種情報が「トレンドグラフ表示画面」として表示できるよう構成されている。
【０００３】
また、最近では、女性体温計に限らず、通常の電子体温計を用いて基礎体温を測定し、パソコンや携帯電話等のデータ処理・表示機能を備えた表示処理装置に、当該測定した基礎体温を取り込み、当該表示処理装置においてトレンドグラフの表示や、体調に関する各種情報の入力を行うことも可能となっている。更に、このようなトレンドグラフ表示画面を作成・表示するためのアプリケーションも普及している。
【０００４】
図９は、女性電子体温計の表示部や、表示処理装置に表示されるトレンドグラフ表示画面の一例を示す図である。図９に示すように、トレンドグラフ表示画面は、通常、少なくとも生理周期１周期分の期間を含む所定期間分の日付を横軸にとり、縦軸に基礎体温をとることで、基礎体温の時系列的な変化（トレンドグラフ９０１）が一目でわかるよう構成されている。また、表示された日付に対応付けて体調に関する情報（体調管理メモ９０２）を配置することで、体温データに対する被検者の体調の変化が容易にわかるよう構成されている。
【先行技術文献】
【特許文献】
【０００５】
【特許文献１】特開２００９−８６１３号公報
【特許文献２】実開昭６３−９９２３４号公報
【発明の概要】
【発明が解決しようとする課題】
【０００６】
しかしながら、従来のトレンドグラフ表示画面の場合、過去の基礎体温の変化や当該基礎体温に対する過去の体調の変化については容易に把握できるものの、今後の基礎体温の変化や体調の変化までは把握することができない。
【０００７】
一方で、基礎体温の変化や体調の変化には個人差があり、また、年齢によっても変わってくるため、被検者ごとに、過去の基礎体温の変化や体調の変化に基づいて、今後の基礎体温の変化や体調の変化を個別に予測し表示することができれば、被検者にとっては、利便性が高い。
【０００８】
本発明は上記課題に鑑みてなされたものであり、被検者の過去の基礎体温の変化や体調の変化に基づいて、今後の基礎体温の変化及び／または体調の変化を可視化するトレンドグラフ表示画面を提供することを目的とする。
【課題を解決するための手段】
【０００９】
上記の目的を達成するために、本発明に係る表示処理装置は以下のような構成を備える。即ち、
被検者の体温データ、並びに、体調に関する予め設定された複数の項目について該当する項目の状況となったか否かを示す体調情報を表示する表示処理装置であって、
日付に沿った体温のトレンドグラフを表示するための第１表示領域と、日付に沿った前記体調情報を表示するための第２表示領域とを有する表示手段と、
各生理周期における生理初日を判定する判定手段と、
現在日が属する生理周期よりも前の複数回の生理周期の平均周期である平均生理周期を算出する平均生理周期算出手段と、
前記現在日が属する生理周期よりも前の複数回の生理周期について、各生理初日からの経過日数ごとに体温データの平均値を算出する平均値算出手段と、
前記現在日が属する生理周期よりも前の複数回の生理周期について、各生理初日からの経過日数における、前記複数の項目ごとの該当する状況となったことを示す情報の個数を求め、各項目毎の最大数となる経過日数を求める項目判定手段と、
前記第１表示領域に、前記現在日以降であって前記平均生理周期分、前記平均値算出手段で算出した体温データの平均値を予測トレンドとして表示し、且つ、
前記第２表示領域の、前記現在日以降であって前記平均生理周期分で示される範囲において、前記項目判定手段で判定した項目ごとに、それぞれが最大数となった経過日数で示される領域を第１の表示態様にすることで、予測体調情報として表示する表示制御手段とを備える。
【発明の効果】
【００１０】
本発明によれば、被検者の過去の基礎体温の変化や体調の変化に基づいて、今後の基礎体温の変化及び／または体調の変化を可視化するトレンドグラフ表示画面を提供することが可能となる。
【図面の簡単な説明】
【００１１】
【図１】本発明の一実施形態に係る表示処理装置１００と電子体温計１１０とを備える体温データ測定／表示システムの構成を示す図である。
【図２】本発明の一実施形態に係る表示処理装置１００のハードウェア構成を示す図である。
【図３】電子体温計１１０の機能構成を示す図である。
【図４】表示処理装置１００のトレンドグラフ表示画面作成アプリケーションにおける予測トレンドグラフ表示処理の流れを示すフローチャートである。
【図５】予測トレンドグラフ表示処理の結果が表示されたトレンドグラフ表示画面の一例を示す図である。
【図６】表示処理装置１００のトレンドグラフ表示画面作成アプリケーションにおける予測体調管理メモ表示処理の流れを示すフローチャートである。
【図７】体調管理メモ表示処理の結果が表示されたトレンドグラフ表示画面の一例を示す図である。
【図８】予測トレンドグラフ表示処理及び予測体調管理メモ表示処理において実行される生理初日判定処理の流れを示すフローチャートである。
【図９】従来の表示処理装置において表示されるトレンドグラフ表示画面の一例を示す図である。
【発明を実施するための形態】
【００１２】
以下、本発明の各実施形態について図面を参照しながら説明する。
【００１３】
［第１の実施形態］
＜１．体温データ測定／表示システムの構成＞
図１は、本発明の一実施形態に係る表示処理装置１００と、電子体温計１１０とを備える体温データ測定／表示システムの一構成例を示す図である。図１において、１００は電子体温計１１０にて測定された体温データを受信し、トレンドグフフ表示画面を作成・表示可能なノート型パソコン等の表示処理装置である。
【００１４】
表示処理装置１００には、電子体温計１１０にて測定された体温データを受信し、トレンドグラフを作成・表示したり、被検者の体調に関する情報である体調管理メモ（例えば、生理を示すメモ、生理痛があったことを示すメモ、性交の有無を示すメモ、薬飲の有無を示すメモ、発熱の有無を示すメモ、おりものの有無を示すメモ、不正出血の有無を示すメモ等）の入力をキーボードや不図示のマウス等を介して受け付け、日付情報及び体温データと対応付けて記憶したり、日付情報及び体温データと対応付けて、トレンドグラフとして液晶表示部に表示したりするためのアプリケーションプログラム（トレンドグラフ表示画面作成アプリケーション）がインストールされているものとする。
【００１５】
また、１１０は、被検者の基礎体温を測定し、体温データとして表示処理装置１００に送信可能な電子体温計である。電子体温計１１０において、１１１は測定した基礎体温を表示する表示部である。１１２はエンドキャップであり、内蔵された温度計測部（詳細は後述）に対して被検者の体温が伝導しやすいように、ステンレスなどの金属により被覆されている。１１３は、ＯＮ／ＯＦＦスイッチであり、体温の測定を開始する前、又は体温の測定を終了した後に押すことで、電子体温計１１０の電源のＯＮ／ＯＦＦが制御される。
【００１６】
なお、図１に示す体温測定／表示システムでは、表示処理装置１００と電子体温計１１０とが無線により接続されているものとして図示しているが、本発明はこれに限定されず、表示処理装置１００と電子体温計１１０との間は、有線により接続されていてもよい。
【００１７】
また、上記説明では、被検者の体調に関する各種情報を表示処理装置１００のキーボードやマウスを用いて入力することとしたが、本発明は特にこれに限定されるものではなく、電子体温計１１０が、被検者の体調に関する各種情報を入力可能な女性体温計であった場合においては、当該女性体温計にて被検者の体調に関する体調管理メモを入力し、体温データの送信の際、当該入力された体調管理メモもあわせて送信することで表示処理装置１００に入力する構成としてもよい。
【００１８】
＜２．表示処理装置１００の構成＞
次に表示処理装置１００の構成について説明する。図２は、表示処理装置１００のハードウェア構成を示すブロック図である。図２において、２０１は制御メモリ（ＲＯＭ）、２０２は中央演算処理装置（ＣＰＵ）、２０３はメモリ（ＲＡＭ）、２０４はコンピュータ読取可能な外部記憶装置（記録媒体）である。
【００１９】
また、２０５はユーザの指示を入力するための入力装置（図１に示すキーボードまたは不図示のマウスに対応する）、２０６は表示装置（図１に示す液晶表示部に対応する）、２０７は電子体温計１１０との間でデータの送受信を行うためのインタフェース装置である。更に、２０８はバスである。
【００２０】
本実施形態に係る表示処理装置１００において、電子体温計１１０より体温データを受信し、トレンドグラフ等を作成・表示するトレンドグラフ表示画面作成アプリケーション２１１は、外部記憶装置２０４に実行可能に格納されているものとする。また、電子体温計１１０より受信した体温データ及び表示処理装置１００にて入力を受け付けた体調管理メモ２１２は、日付情報と対応付けて外部記憶装置２０４に格納されているものとする。
【００２１】
トレンドグラフ表示画面作成アプリケーション２１１及び体温データ／体調管理メモ２１２は、中央演算処理装置２０２による制御のもと、バス２０８を介して適宜メモリ２０３に取り込まれ、中央演算処理装置２０２によって処理される。これにより、後述する予測トレンドグラフ表示機能及び予測体調管理メモ表示機能が実現される。
【００２２】
＜３．電子体温計１１０の構成＞
図３は本実施形態にかかる表示処理装置１００に体温データを送信する電子体温計１１０の機能構成を示す内部ブロック図である。
【００２３】
電子体温計１１０は、温度に比例した時間分のＯＮ信号を出力する温度計測部３１０と、温度計測部３１０より出力されたＯＮ信号に基づいて各種処理を行い、被検者の体温を演算すると共に電子体温計１１０全体の動作を制御する演算制御部３２０と、演算された被検者の体温を表示する表示部３３０（図１の表示部１１１に対応する）と、体温データを表示処理装置１００に送信するインタフェース部３４０と、音声データを出力する音声出力部３５０と、電源部３６０とを備える。
【００２４】
温度計測部３１０は、サーミスタ、コンデンサ、測温用ＣＲ発振回路等から構成されており、サーミスタにより検出された温度を発信信号として出力する。出力された発信信号はカウンタにおいてカウントされることで、デジタル量として出力される。なお、温度計測部３１０の構成は一例であって、これに限定されるものではない。
【００２５】
演算制御部３２０は、温度計測部３１０より出力されるデジタル信号のＯＮ時間を計測するタイマー３２２を備える。
【００２６】
また、タイマー３２２により計測された時間に基づいて温度データを算出するとともに、算出された温度データの時間変化に基づいて、被検者の体温を予測演算するプログラムが格納されたＲＯＭ３２４と、算出された温度データを時系列で記憶するためのＲＡＭ３２６と、所定の音声データが格納されたＥＥＰＲＯＭ３２５と、ＲＯＭ３２４に格納されたプログラムに従って演算を行ったり、体温データの送信を行う演算処理部３２３とを備える。
【００２７】
更に、演算制御部３２０は演算処理部３２３における演算結果を表示する表示部３３０を制御するための表示制御部３２７を備える。
【００２８】
更に、演算制御部３２０は、上記タイマー３２２、表示制御部３２７、演算処理部３２３、温度計測部３１０を制御する制御回路３２１を備える。
【００２９】
＜４．トレンドグラフ表示画面作成アプリケーションによる予測トレンドグラフ表示処理の流れ＞
次に、トレンドグラフ表示画面作成アプリケーション２１１による予測トレンドグラフ表示処理の流れについて説明する。図４は、トレンドグラフ表示画面作成アプリケーション２１１による予測トレンドグラフ表示処理の流れを示すフローチャートである。
【００３０】
トレンドグラフ表示画面作成アプリケーション２１１が起動され、ユーザによる所定の指示に基づいて予測トレンドグラフ表示処理が開始されると、図４に示すフローチャートが実行される。
【００３１】
ステップＳ４０１では、過去の各生理周期における生理初日を判定する。生理周期における生理初日は、複数回分（例えば、過去１３回分）について判定する。なお、各生理周期における生理初日の判定処理の詳細は後述する。
【００３２】
更に、判定した生理初日のうち、直近の１回分を除く１２回分の生理初日に基づいて、生理の平均周期（平均生理周期、Ｌｏｏｐ＿ｃｙｃ）を算出する。また、判定した当該１２回分の各生理初日を基準として、各生理初日からの経過日数ごとに各体温データの平均値及びばらつきを算出することで、予測値グラフを求める。
【００３３】
ステップＳ４０２では、現在日の日付（Ｔｏｄａｙ）を取得する。更に、現在日が属する生理周期における生理初日から現在日までの経過日数（Ｃｙｃ＿Ｔｏｄａｙ）を取得する。
【００３４】
ステップＳ４０３では、日付カウント変数（Ｔｏｄａｙ＿ｃｏｕｎｔ＿ａ）に１を代入する。
【００３５】
ステップＳ４０４では、現在日が属する生理周期における生理初日（つまり、直近の生理初日）から現在日までの経過日数（Ｃｙｃ＿Ｔｏｄａｙ）に日付カウント変数（Ｔｏｄａｙ＿ｃｏｕｎｔ＿ａ）を和算した結果が、平均生理周期（Ｌｏｏｐ＿ｃｙｃ）以下であるか否かを判定する。ステップＳ４０４において、平均生理周期（Ｌｏｏｐ＿ｃｙｃ）以下であると判定された場合には、ステップＳ４０５に進む。
【００３６】
ステップＳ４０５では、ステップＳ４０１において求めた予測値グラフのデータ（平均値及びばらつき）のうち、生理初日からＣｙｃ＿Ｔｏｄａｙ＋Ｔｏｄａｙ＿ｃｏｕｎｔ＿ａ日目の予測値グラフのデータ（平均値及びばらつき）を抽出し、現在日の日付（Ｔｏｄａｙ）に日付カウント変数（Ｔｏｄａｙ＿ｃｏｕｎｔ＿ａ）を加えた日付上に表示する。
【００３７】
具体例を挙げて説明する。例えば、現在日が８月２０日で、現在日が属する生理周期における生理初日が８月５日であり、日付カウント変数（Ｔｏｄａｙ＿ｃｏｕｎｔ＿ａ）が１であったとすると、経過日数（Ｃｙｃ＿Ｔｏｄａｙ）は１６となる。このため、ステップＳ４０５では、ステップＳ４０１において求めた予測値グラフのデータのうち、生理初日から１７日目の予測値グラフのデータを抽出し、８月２１日の位置にプロットすることとなる。
【００３８】
ステップＳ４０６では、日付カウント変数（Ｔｏｄａｙ＿ｃｏｕｎｔ＿ａ）をインクリメントする。その後、ステップＳ４０４に戻り、上記処理を繰り返す。ここで、平均生理周期（Ｌｏｏｐ＿ｃｙｃ）が２８日であったとすると、Ｔｏｄａｙ＿ｃｏｕｎｔ＿ａは１２までインクリメントされ、１３になると、ステップＳ４０７に進むこととなる（つまり、ステップＳ４０４からＳ４０６までの工程により、９月１日までの予測値グラフが表示されることとなる）。
【００３９】
ステップＳ４０７では、日付カウント変数（Ｔｏｄａｙ＿ｃｏｕｎｔ＿ａ）をデクリメントする。これにより、上記例では、日付カウント変数（Ｔｏｄａｙ＿ｃｏｕｎｔ＿ａ）が１２となる。
【００４０】
続いて、ステップＳ４０８では、他の日付カウント変数（Ｔｏｄａｙ＿ｃｏｕｎｔ＿ｂ）に１を代入する。
【００４１】
ステップＳ４０９では、日付カウント変数（Ｔｏｄａｙ＿ｃｏｕｎｔ＿ｂ）が、現在日が属する生理周期における生理初日から現在日までの経過日数（Ｃｙｃ＿Ｔｏｄａｙ）以下であるか否かを判定する。
【００４２】
ステップＳ４０９において、経過日数（Ｃｙｃ＿Ｔｏｄａｙ）以下であると判定された場合には、ステップＳ４１０に進む。
【００４３】
ステップＳ４１０では、ステップＳ４０１において求めた予測値グラフのデータのうち、生理初日からＴｏｄａｙ＿ｃｏｕｎｔ＿ｂ日目の予測値グラフのデータを抽出し、現在日の日付（Ｔｏｄａｙ）に日付カウント変数（Ｔｏｄａｙ＿ｃｏｕｎｔ＿ａ）と日付カウント変数（Ｔｏｄａｙ＿ｃｏｕｎｔ＿ｂ）とを加えた日付上に表示する。
【００４４】
具体例を挙げて説明する。日付カウント変数（Ｔｏｄａｙ＿ｃｏｕｎｔ＿ｂ）が１であったとすると、ステップＳ４１０では、ステップＳ４０１において求めた予測値グラフのデータのうち、生理初日から１日目の予測値グラフのデータを抽出する。そして、当該抽出したデータを、現在日（８月２０日）に日付カウント変数（Ｔｏｄａｙ＿ｃｏｕｎｔ＿ａ）である１２と、日付カウント変数（Ｔｏｄａｙ＿ｃｏｕｎｔ＿ｂ）である１を加えた日付である、９月２日の位置にプロットする。
【００４５】
ステップＳ４１１では、日付カウント変数（Ｔｏｄａｙ＿ｃｏｕｎｔ＿ｂ）をインクリメントする。その後、ステップＳ４０９に戻り、日付カウント変数（Ｔｏｄａｙ＿ｃｏｕｎｔ＿ｂ）が、現在日が属する生理周期における生理初日から現在日までの経過日数（Ｃｙｃ＿Ｔｏｄａｙ）を超えるまで、上記処理を繰り返す。これにより、平均生理周期分（例えば、２８日分）、予測値グラフが表示されることとなる（つまり、ステップＳ４０９〜Ｓ４１１での工程により、９月２日から９月１７日までの予測値グラフが表示されることとなる）。
【００４６】
そして、日付カウント変数（Ｔｏｄａｙ＿ｃｏｕｎｔ＿ｂ）が、現在日が属する生理周期における生理初日から現在日までの経過日数（Ｃｙｃ＿Ｔｏｄａｙ）を超えたら、予測トレンドグラフ表示処理を終了する。
【００４７】
図５は、トレンドグラフ表示画面作成アプリケーション２１１による予測トレンドグラフ表示処理の結果作成された、今後の基礎体温の変化を示す予測トレンドグラフを含むトレンドグラフ表示画面５００である。図５に示すように、予測トレンドグラフ５１０は、平均値を示すグラフ５１１にばらつきを示すグラフ５１２が重畳して表示され、かつ過去のトレンドグラフ５０１に連結して表示される。これにより、被検者は、今後の基礎体温の変化を容易に把握することができる。
【００４８】
＜５．トレンドグラフ表示画面作成アプリケーションによる予測体調管理メモ表示処理の流れ＞
次に、トレンドグラフ表示画面作成アプリケーションによる予測体調管理メモ表示処理の流れについて説明する。図６は、トレンドグラフ表示画面作成アプリケーション２１１による予測体調管理メモ表示処理の流れを示すフローチャートである。
【００４９】
トレンドグラフ表示画面作成アプリケーション２１１が起動され、ユーザによる所定の指示に基づいて予測体調管理メモ表示処理が開始されると、図６に示すフローチャートが実行される。ステップＳ６０１では、過去の各生理周期における生理初日を判定する。生理周期における生理初日は、過去１３回分について判定し、そのうち直近の１回分については、現在日（予測体調管理メモ表示処理の実行が指示された日）が、今回の生理周期の何日目にあたるのかを識別するために用いられ、残りの１２回分については、今後の体調の変化の予測に用いられるものとする。なお、各生理周期における生理初日の判定処理の詳細は後述する。
【００５０】
ステップＳ６０２では、ステップＳ６０１において判定された過去の１２回分の各生理周期における生理初日に基づいて、平均生理周期を算出し、その値をＬｏｏｐ＿ｃｙｃとしてメモリに記憶する。
【００５１】
ステップＳ６０３では、初期値として、カウンタ値ｍに１を入力するとともに、Ｍａｘ＿ｃｏｕｎｔ［ｉ］に１を入力する。なお、カウンタ値ｍは、現在日から数えてｍ日目の体調管理メモを予測する際に用いられる。また、Ｍａｘ＿ｃｏｕｎｔ［ｉ］とは、体調管理メモを構成する複数の項目のうち、項目番号ｉの体調管理メモにおける最大カウント数を示している。
【００５２】
ステップＳ６０４では、過去の各生理周期（１２回分）について、ｍ日目の体調管理メモ（各生理初日からｍ日経過した日付の体調管理メモ）について、複数項目（生理を示すメモ、生理痛があったことを示すメモ、性交の有無を示すメモ、薬飲の有無を示すメモ、発熱の有無を示すメモ、おりものの有無を示すメモ、不正出血の有無を示すメモの７項目）それぞれのカウント数（入力されているメモの個数）を算出する。
【００５３】
ステップＳ６０５では、ステップＳ６０４において算出されたカウント数をＣｏｕｎｔ［ｉ］［ｍ］に代入する。なお、ｉは０〜６の項目番号を示している。例えば、ｍ＝８でｉ＝３を薬飲とすると、Ｃｏｕｎｔ［３］［８］とは、過去１２回分の生理周期における生理初日から８日目の薬飲の回数が代入される。
【００５４】
ステップＳ６０６では、Ｃｏｕｎｔ［ｉ］［ｍ］がＭａｘ＿Ｃｏｕｎｔ［ｉ］よりも大きいか否かを判定する。
【００５５】
ステップＳ６０６において、Ｃｏｕｎｔ［ｉ］［ｍ］がＭａｘ＿Ｃｏｕｎｔ［ｉ］よりも大きいと判定された場合には、ステップＳ６０７に進み、Ｃｏｕｎｔ［ｉ］［ｍ］をＭａｘ＿Ｃｏｕｎｔ［ｉ］に代入し、Ｍａｘ＿ｃｏｕｎｔ＿ｄａｙにｍを代入したうえで、ステップＳ６０８に進む。
【００５６】
一方、ステップＳ６０６において、Ｃｏｕｎｔ［ｉ］［ｍ］がＭａｘ＿Ｃｏｕｎｔ［ｉ］よりも大きいと判定されなかった場合には、直接ステップＳ６０８に進む。
【００５７】
ステップＳ６０６では、カウンタ値ｍをインクリメントする。ステップＳ６０９では、Ｌｏｏｐ＿ｃｙｃ以下であるか否かを判定する。
【００５８】
ステップＳ６０６において、カウンタ値ｍがＬｏｏｐ＿ｃｙｃ以下であると判定された場合には、ステップＳ６０４に戻り、Ｌｏｏｐ＿ｃｙｃ日分のＣｏｕｎｔ［ｉ］［ｍ］に基づいてＭａｘ＿Ｃｏｕｎｔ［ｉ］が算出されるまで、上記処理を繰り返す。
【００５９】
ステップＳ６１０では、体調管理メモの明日以降の各項目において、算出されたＭａｘ＿Ｃｏｕｎｔ［ｉ］に基づく表示を行う。具体的には、Ｍａｘ＿Ｃｏｕｎｔ［ｉ］±１の範囲（第１の閾値）のカウント数を有する日付に対応する領域を、第１の表示態様（例えば、濃い青）で表示する。また、Ｍａｘ＿Ｃｏｕｎｔ［ｉ］±Ｍａｘ＿Ｃｏｕｎｔ［ｉ］／２の範囲（第２の閾値）のカウント数を有する日付に対応する領域を、Ｍａｘ＿Ｃｏｕｎｔ［ｉ］±１の範囲のカウント数の日付に対応する領域とは異なる第２の表示態様（例えば、薄い青色）で表示する。
【００６０】
図７は、トレンドグラフ表示画面作成アプリケーション２１１による予測体調管理メモ表示処理の結果作成された、今後の体調の変化を示す予測体調管理メモを含むトレンドグラフ表示画面５００を示す図である。図７に示すように、予測体調管理メモ７１０は、各項目ごとに、今後、各項目が発生する可能性の高い日付に対応する領域が所定の色でもって表示される。このため、被検者は、今後の体調の変化を容易に把握することが可能となる。
【００６１】
＜６．生理初日判定処理の流れ＞
次に、上記予測トレンドグラフ表示処理及び予測体調管理メモ表示処理において実行される生理初日判定処理の流れについて説明する。図８は、生理初日判定処理の流れを示すフローチャートである。
【００６２】
ステップＳ８０１では、過去の体調管理メモのうち、生理を示すメモの項目について、現在日から過去へさかのぼる方向にスキャンする。ステップＳ８０２では、所定期間内に、各日付に生理を示すメモが連続して入力されているか否かを判定する。
【００６３】
ステップＳ８０２において、生理メモが連続して入力されていると判定された場合には、ステップＳ８０３に進む。ステップＳ８０３では、生理メモが連続して入力されている期間の初日を、生理初日と判定する。
【００６４】
一方、ステップＳ８０２において、所定期間内に、生理メモが連続して入力されている期間がないと判定された場合には、ステップＳ８０４に進む。
【００６５】
ステップＳ８０４では、生理周期における生理初日について、過去１３回分判定したか否かを判定する。ステップＳ８０４において、過去１３回分判定していないと判定された場合には、ステップＳ８０２に戻り、１つ前の生理周期における生理初日を判定する。一方、ステップＳ８０６において、過去１３回分判定したと判定された場合には、処理を終了する。
【００６６】
以上の説明から明らかなように、本実施形態に係る表示処理装置では、被検者の過去１２回分の生理周期の基礎体温の変化及び体調の変化を、各生理周期の生理初日からの経過日数に基づいて統計処理し、現在日以降の基礎体温の変化及び体調の変化を示す予測トレンドグラフ及び予測体調管理メモとして、トレンドグラフ表示画面に表示する構成とした。この結果、被検者は、自身の直近１２生理周期分の基礎体温の変化及び体調の変化に則した予測結果を、トレンドグラフ表示画面上で視認することが可能となり、被検者にとって利便性の高いトレンドグラフ表示画面を表示することが可能となった。
【００６７】
［第２の実施形態］
上記第１の実施形態では、予測トレンドグラフと予測体調管理メモとを別個に表示する構成として説明したが、本発明はこれに限られず、トレンドグラフ表示画面上に同時に両方を表示する構成としてもよい。
【００６８】
また、上記第１の実施形態では、過去１２生理周期分の体温データ及び体調管理メモに基づいて、予測トレンドグラフ及び予測体調管理メモを生成することとしたが、本発明はこれに限定されず、任意回数分の生理周期を用いて、予測トレンドグラフ及び予測体調管理メモを生成するように構成してもよい。
【符号の説明】
【００６９】
１００・・・表示処理装置、１１０・・・電子体温計、１１１・・・表示部、１１２・・・エンドキャップ、１１３・・・ＯＮ／ＯＦＦスイッチ、５００・・・トレンドグラフ表示画面、５０１・・・トレンドグラフ、５０２・・・体調管理メモ、５１０・・・予測トレンドグラフ、７１０・・・予測体調管理メモ
【図１】
0005792446.tif 000002
【図２】
0005792446.tif 000003
【図３】
0005792446.tif 000004
【図４】
0005792446.tif 000005
【図５】
0005792446.tif 000006
【図６】
0005792446.tif 000007
【図７】
0005792446.tif 000008
【図８】
0005792446.tif 000009
【図９】
0005792446.tif 000010